(57)【要約】      （修正有）【課題】施開錠する為に、金属製のハードとしての鍵の利用や、複雑なダイヤル操作を不要とし、セキュリティーレベルを落とす事無く、スムーズに施錠、開錠できる防災金庫を提供する。【解決手段】スマートフォンの個別認識情報とスマートフォンアプリに入力されたパスワード情報を読み取るICチップリーダー３を本体１の前面の扉２に有し、読み取った両情報から２段階の認証を行い施錠、開錠を行う制御装置１１とを有し、また、施錠、開錠のデータを履歴として保存する機能と、本体１の内部に設置した庫内カメラによって、インターネット回線を利用し、遠隔地でも内部の確認ができる機能と、ＧＰＳによる位置測位機能を持たせた。【選択図】図１
2017155508.tif 000002
【特許請求の範囲】
【請求項１】
スマートフォンの個別認識情報とスマートフォンアプリに入力されたパスワード情報により起動し、両情報の入力により扉の施錠及び開錠を行う機能を備えると共に、施開錠に使用した前記スマートフォンの個別識別情報と前記スマートフォンアプリの情報からスマートフォンを特定し、施開錠の操作がされた日時を記録することが可能な機能部を有する事を特徴とする防災金庫。
【請求項２】
個別識別情報を格納したICチップと、インターネット回線にパスワード信号を出力可能なスマートフォンアプリとを搭載している前記スマートフォンと、
前記ICチップの前記入出力部に接続可能であって、前記スマートフォンアプリとインターネット回線によって接続可能な機能部を持ち、
前記入出力部と前記スマートフォンアプリの施開錠信号により、施錠又は開錠を行う機能部を備えた金庫本体とを有すると共に、
施開錠に使用した前記ICチップとアプリの情報から前記スマートフォンを特定し、施開錠の操作がされた日時を記録する機能部を有する事を特徴とする防災金庫。
【請求項３】
前記請求項２において、前記ICチップが、前記スマートフォンに搭載されていない状態で、カード等の形状で独立して存在している事を特徴とする請求項２に記載の防災金庫。
【請求項４】
請求項１から３のいずれか１項に記載の防災金庫において、金庫内部に設置されたカメラによって、インターネット回線を利用して、遠隔地でも金庫内部が確認できる仕組みを持った防災金庫。
【請求項５】
請求項４に記載の防災金庫において、前記防災金庫に搭載されたGPSによる位置測位の機能により、災害や盗難によって前記防災金庫が所定の位置から移動された時にも、インターネット回線を利用して捜索する事が可能な仕組みを持った防災金庫。
【発明の詳細な説明】
【技術分野】
【０００１】
本発明はスマートフォンを利用した、扉の施錠及び開錠ができ、施錠開錠の記録をする事ができる防災金庫である。
【背景技術】
【０００２】
自宅に金庫がある場合、大抵は人目に付きにくい所に保管してあり、さらにハードとしての金属製の鍵を別の場所に保管していたり、複雑なダイヤル操作が必要であったり、めったに使わないからといって鍵を紛失している事があり、開錠までに非常に時間が掛かってしまうという問題があった。
防災金庫は災害時の為に必要とされる物であり、災害時は一刻を争う、素早い避難が必要である場合が多く、対して金庫の開錠の仕組みはそのセキュリティー対策という目的からも開錠に時間がかかる物が多い。
【０００３】
優先順位はセキュリティーにあり、簡単に素早く開錠する事までは、既存の防災金庫では設計上、想定されていない事が多い。
災害時に一番重要なのは、命を守る事であり、防災金庫の仕組みによって命に危険を及ぼすようでは意味が無い。
【先行技術文献】
【特許文献】
【０００４】
【特許文献１】特開２０１１−０６４０３０号公報
【発明の概要】
【発明が解決しようとする課題】
【０００５】
従来の防災金庫は、施開錠する為には、金属製のハードとしての鍵の利用や、複雑なダイヤル操作が必要な物が多く、前記の鍵を使う仕様の場合は防災金庫という性質上、めったに開けない事もあり、ハードとしての鍵を常に持っていなかったり、最悪紛失してしまっていて、有事の際に金庫の扉の開錠までに非常に時間が掛かってしまうという問題があった。
またダイヤル操作で開錠するものは、セキュリティー上、その操作が複雑で時間が掛かってしまうという問題があった。
【０００６】
実際に市販されている金庫はセキュリティー向上の為に上記の２つの開錠方法を併用している物が多く、素早い避難が必要である災害時には役に立たない事があった。
災害時に一番重要なのは、命を守る事であり、防災金庫の仕組みによって命に危険を及ぼすようでは意味が無い。
【０００７】
また従来の防災金庫は、一般家庭で利用される事を前提として作られており、一般家庭で利用する場合、その設置場所は見た目と防犯対策としての目的により、人目に付かない所に設置される事が多く、その行為がさらに災害時の有効利用を妨げていると考えられる。
【０００８】
本発明は、セキュリティーレベルを確保しつつ、素早く防災金庫の施錠開錠ができる、防災金庫である。
【０００９】
開錠に必要な物は、現代社会ではライフラインの一つとしても捉えられている、スマートフォンのみで行う事が可能だが、スマートフォンに搭載されている、「ICカード」と「開錠アプリ」の２段階の認証を必要とし、セキュリティーの確保を図っている。常に持ち歩くスマートフォンを利用する事により、セキュリティーレベルを落とす事無く、スムーズに施錠、開錠できる仕組みとした。
【００１０】
どのICカードとアプリを利用して施錠、開錠されたのかは、金庫側に履歴として記録される仕組みとし、また、開錠時には登録されたアドレスにメールが届く仕組みとする事から、利用者が安心できるセキュリティーレベルを提供する。
【００１１】
利用者の安心感を高める為、また犯罪の抑止効果を狙い、防災金庫内部の様子は設置されたカメラによって、遠隔地からも確認できる物とした。
【００１２】
設置場所自体を家庭では無く、災害時に避難する、避難施設に事前に設置する事も視野に入れ、複数個、上下左右に並べて設置する事ができる外形形状とした。
【００１３】
更に、自然災害の大きさによっては、金庫自体が、地震や津波によって、その位置を特定できない状況になったとしても、GPSによる位置測位の仕組みを持たせる事によって、発見の可能性を上げる仕組みとした。
【図面の簡単な説明】
【００１４】
【図１】本発明の防災金庫における、施開錠時の処理を示すフローチャートである。
【図２】本発明の防災金庫外観図である。
【図３】本発明の防災金庫の水平断面図である。
【図４】本発明の防災金庫の垂直断面図である。
【発明を実施するための形態】
【００１５】
以下、添付した図１を参照して、本発明の実施形態に係るシステムを詳細に説明する。
【００１６】
図１は本発明の防災金庫の外観図である。本体１は水平垂直でできた立方体であり、隙間無く水平方向に並べたり、複数個を積み重ねて設置する事も可能な外観とした。
【００１７】
前面に位置する扉２には施開錠で使用するICチップを読み込む為のICカードリーダー３とICチップの認証情報を基に扉の施開錠を制御する制御部１１、扉を開閉する為の手掛け４がついている。
【００１８】
以下、添付した図２を参照して、本発明の実施形態に係るシステムを詳細に説明する。
【００１９】
図２は、本発明の防災金庫の水平方向断面図である。本体１の水平方向の断面の外形は水平垂直でできた長方形であり、複数個を隙間なく並べる事ができる形状とした。
【００２０】
ICチップを扉２に内蔵されているICチップリーダー３に近づける事によって情報のやり取りが行われ、制御部11の機能により施開錠の第一段階の認証を開始する。次にスマートフォンアプリによる第二段階認証によって許可されると、本発明の防災金庫は施開錠可能な状態に移行する。扉４の開閉は手掛け４を押し引きする事で行う。
【００２１】
扉２と反対側の本体１背面には、電源用コード７、非常用電池電源８を備え、前述のスマートフォンとの施開錠の電気的認証の電源供給を行う。通常は家庭用のコンセントと同じ100Vでの給電を必要とするが、災害時等の停電時には、非常用電池電源８を利用した電源に自動で切り替わり、一定時間の間、電源の供給を行う。
【００２２】
また本発明の防災金庫はLAN配線接続口９へのLAN配線若しくは、本体１に内蔵されている無線LAN機能によってインターネットへの接続を可能としている。施開錠の操作があった場合、本発明の防災金庫は、操作が行われたICチップとパスワードから、スマートフォン端末を特定し、そのデータを記録する仕組みを持つ。この機能によって、いつ、どのスマートフォンの端末から、施開錠の操作がされたのかを後日、確認できるようにした。また施開錠の操作が行われた場合、本発明の防災金庫は前述のインターネット回線を利用して事前に登録されたアドレスに操作が行われた旨を知らせるメールを送る事ができる。
【００２３】
本発明の防災金庫は、本体１背面に設置されたGPS機能５によって、本発明の防災金庫の位置情報を測位し提供できる仕組みとした。使用者はスマートフォンアプリ若しくはメールによって緯度経度の位置情報を取得できる。この機能によって災害や盗難等によって本発明の防災金庫が所定の設置場所から移動した時にも、捜索する事ができる仕組みとした。
【００２４】
以下、添付した図３を参照して、本発明の実施形態に係るシステムを詳細に説明する。
【００２５】
図３は、本発明の防災金庫の垂直方向断面図であり、本体１の垂直面の外形は水平垂直でできた長方形であり、複数個を重ねて設置する事ができる形状とした。
【００２６】
図２と同様、ICチップを扉２に内蔵されているICチップリーダー３に近づける事によって情報のやり取りが行われ、制御部11の機能により施開錠の第一段階の認証を開始する。次にスマートフォンアプリによる第二段階認証によって許可されると、本発明の防災金庫は施開錠可能な状態に移行する。扉４の開閉は手掛け４を押し引きする事で行う。
【００２７】
図２と同様、扉２と反対側の本体１背面には、電源用コード７、非常用電池電源８を備え、前述のスマートフォンとの施開錠の電気的認証の電源供給を行う。通常は家庭用のコンセントと同じ100Vでの給電を必要とするが、災害時等の停電時には、非常用電池電源８を利用した電源に自動で切り替わり、一定時間の間、電源の供給を行う。
【００２８】
図２と同様、本発明の防災金庫はLAN配線接続口９へのLAN配線若しくは、本体１に内蔵されている無線LAN機能によってインターネットへの接続を可能としている。施開錠の操作があった場合、本発明の防災金庫は、操作が行われたICチップとパスワードから、スマートフォン端末を特定し、そのデータを記録する仕組みを持つ。この機能によって、いつ、どのスマートフォンの端末から、施開錠の操作がされたのかを後日、確認できるようにした。また施開錠の操作が行われた場合、本発明の防災金庫は前述のインターネット回線を利用して事前に登録されたアドレスに操作が行われた旨を知らせるメールを送る事ができる。
【００２９】
図２と同様、本発明の防災金庫は、本体１背面に設置されたGPS機能５によって、本発明の防災金庫の位置情報を測位し提供できる仕組みとした。使用者はスマートフォンアプリ若しくはメールによって緯度経度の位置情報を取得できる。この機能によって災害や盗難等によって本発明の防災金庫が所定の設置場所から移動した時にも、捜索する事ができる仕組みとした。
【００３０】
本体１内部の収納スペース奥には庫内カメラ６が設置されており、LAN配線接続口９へのLAN配線若しくは、本体１に内蔵されている無線LAN機能によって接続されたインターネット経由で、スマートフォンから内部画像が閲覧できる仕組みとした。この内部画像はスマートフォンアプリ若しくはメールによって取得できる仕組みとした。
【００３１】
図３は本発明の防災金庫における、施開錠時の処理を示すフローチャートである。
【００３２】
以下、ステップS1からステップS4までは、初期設定の手順である。
ステップS1で初期設定を行う為に、本発明の防災金庫の登録スイッチをONにする事によって、登録モードに移行する。
ステップS2では使用するICチップを本発明の防災金庫のICチップリーダー部分に近づける事によって、本発明の防災金庫は、ICチップの個別識別情報を読み取り、記録する。
ステップS3ではスマートフォンの専用アプリを起動させ、本発明の防災金庫の個別識別番号を入力する事により、インターネット回線を利用して本発明の防災金庫と情報のやり取りができる状態にする。
ステップS4では、開錠用の任意のパスワードを入力し、本発明の防災金庫の制御装置に記録する。
以上の操作により、初期設定は完了する。
【００３３】
以下、ステップS5からステップS10までは、本発明の防災金庫の施錠若しくは開錠を行う動作を示す。
ステップS5で、ICチップを本発明の防災金庫のICチップリーダー部分に近づける事によって、本発明の防災金庫は、ICチップの個別識別情報を読み取る。
ステップS6の第一段階目の認証作業として読み込まれたICチップの個別識別情報を、ステップS2にて事前に登録された識別情報と比較し、情報が違った場合、ステップS7への処理の移行を許可しない。逆にステップS2にて事前に登録された識別情報と比較し、情報が一致した場合、ステップS7への処理の移行を許可する。
【００３４】
ステップS7では前述のステップS6での処理の結果が、事前に登録された識別情報と同一だった場合、インターネットを利用した、スマートフォンアプリからのパスワード入力を待つ状態に移行する。
ステップS8では、利用者はスマートフォンアプリから、初期登録のステップS4で入力したパスワードを入力する。
ステップS9は第二段階目の認証作業として、本発明の防災金庫は、入力されたパスワードの情報を、初期登録のステップS4で入力されたパスワード情報と比較し、情報が違った場合、ステップS10への処理の移行を許可しない。逆に入力されたパスワードの情報を、初期登録のステップS4で入力されたパスワード情報と比較し、情報が一致した場合、ステップS10への処理の移行を許可する。
【００３５】
この一連の操作の最終段階は、スマートフォンアプリから、「施錠」若しくは「開錠」のボタンを押す事によって終了する事とし、次回、上記の一連の操作を行うまで、本発明の防災金庫は「施錠」若しくは「開錠」の状態を保持する。
【符号の説明】
【００３６】
１  本体
２  扉
３  ICチップリーダー
４  手掛け
５  GPS機能
６  庫内カメラ６
７  電源用コード
８  非常用電池電源
９  LAN配線接続口
10  インシュレーション
11  制御装置
【図１】
2017155508.tif 000003
【図２】
2017155508.tif 000004
【図３】
2017155508.tif 000005
【図４】
2017155508.tif 000006